(57)【要約】【課題】構成簡略化，小型化及び低コスト化、さらには省スペース化を図るとともに、生産効率を高める。【解決手段】機台２に水平回転軸３を介して回転自在に支持された回転基部４と、この回転基部４に支持され、かつ水平回転軸３の周方向に所定間隔置きに配した金型Ｃ…を有する複数の型締機構５…と、回転基部４を回転させる回転駆動部６と、この回転駆動部６を作動制御し、かつ少なくとも任意の型締機構５…を所定角度で傾斜する湯受位置Ｘｓ及びこの湯受位置Ｘｓから所定角度回転させた注湯終了位置Ｘｅで停止制御する制御部７と、金型Ｃ…に取付けることにより、湯受位置Ｘｓから注湯終了位置Ｘｅまで移動した際に、収容した溶湯Ｌを金型Ｃ…内に注入する湯受カップ８…とを具備する。【選択図】図１
2004230406.tif 000002
【特許請求の範囲】
【請求項１】
ローテーションする複数の金型を備える鋳造装置において、機台に水平回転軸を介して回転自在に支持された回転基部と、この回転基部に支持され、かつ前記水平回転軸の周方向に所定間隔置きに配した前記金型を有する複数の型締機構と、前記回転基部を回転させる回転駆動部と、この回転駆動部を作動制御し、かつ少なくとも任意の型締機構を所定角度で傾斜する湯受位置及びこの湯受位置から所定角度回転させた注湯終了位置で停止制御する制御部と、前記金型に取付けることにより、前記湯受位置から前記注湯終了位置まで移動した際に、収容した溶湯を前記金型内に注入する湯受カップとを具備することを特徴とする鋳造装置。
【請求項２】
前記型締機構は、前記回転基部に対して着脱することを特徴とする請求項１記載の鋳造装置。
【請求項３】
前記型締機構は、固定型及び可動型を有する前記金型と、前記可動型を前記固定型に対して進退移動させて前記金型を開閉する型開閉駆動部と、前記金型の型開時に鋳造品を離型させるノック機能とを備えることを特徴とする請求項１記載の鋳造装置。
【請求項４】
前記ノック機能は、主ノック機構と補助ノック機構を備えることを特徴とする請求項３記載の鋳造装置。
【請求項５】
前記機台には、前記金型の型開時に前記補助ノック機構を操作して鋳造品を離型させる補助ノック機構操作部を備えることを特徴とする請求項４記載の鋳造装置。
【発明の詳細な説明】
【０００１】
【発明の属する技術分野】
本発明は、ローテーションする複数の金型を備える鋳造装置に関する。
【０００２】
【従来の技術】
従来、複数の金型（鋳型）をローテーションさせることにより、一台の給湯装置から各金型に給湯できるようにした鋳造装置としては、特開２０００−１５４３０号公報で開示される傾動注湯装置を備えるターンテーブル式鋳造設備が知られている。
【０００３】
同公報で開示されるターンテーブル式鋳造設備における傾動注湯装置は、間欠停止するターンテーブルと、このターンテーブル上に垂直回転可能に取付けるとともに、この垂直回転の回転軸部に連結受体を備えた複数の鋳型ベースと、このターンテーブルの外側に配設されて鋳型ベースの方向に往復移動可能にされた注湯台車と、この注湯台車上に設けられて連結受体に対応する連結体を備えるとともに、連結受体と連結体とを連結させた状態で鋳型ベースを傾動及び傾動復帰駆動させる連結鋳型傾動機構と、注湯台車上に、傾動可能に支持された注湯容器と、この注湯容器を鋳型ベースの傾動復帰に同調させて傾動をさせる注湯容器傾動機構とを備えたものである。
【特許文献１】
特開２０００−１５４３０号公報
【０００４】
【発明が解決しようとする課題】
しかし、上述した従来の鋳造装置（ターンテーブル式鋳造設備）は、次のような問題点があった。
【０００５】
第一に、注湯台車（給湯装置）に、鋳型（金型）を傾斜させる各種機構や注湯容器を同調させる機構を備えるため、注湯台車の構成複雑化，大型化及び高コスト化を招く。
【０００６】
第二に、給湯時には、ターンテーブルに対して、後退した注湯台車を前進させ、鋳型を支持する鋳型ベースに連結するとともに、この後、鋳型を傾動させる必要があるなど、一つの鋳造に時間がかかり、生産効率に劣る。
【０００７】
第三に、ターンテーブル上に配した複数の鋳型を、水平方向に回転（ローテーション）させるため、鋳造装置を設置するための広いスペースを確保する必要がある。
【０００８】
本発明は、このような従来の技術に存在する課題を解決したものであり、構成簡略化，小型化及び低コスト化、さらには省スペース化を図れるとともに、生産効率を高めることができる鋳造装置の提供を目的とする。
【０００９】
【課題を解決するための手段及び実施の形態】
本発明は、ローテーションする複数の金型Ｃ…を備える鋳造装置１を構成するに際して、機台２に水平回転軸３を介して回転自在に支持された回転基部４と、この回転基部４に支持され、かつ水平回転軸３の周方向に所定間隔置きに配した金型Ｃ…を有する複数の型締機構５…と、回転基部４を回転させる回転駆動部６と、この回転駆動部６を作動制御し、かつ少なくとも任意の型締機構５…を所定角度で傾斜する湯受位置Ｘｓ及びこの湯受位置Ｘｓから所定角度回転させた注湯終了位置Ｘｅで停止制御する制御部７と、金型Ｃ…に取付けることにより、湯受位置Ｘｓから注湯終了位置Ｘｅまで移動した際に、収容した溶湯Ｌを金型Ｃ…内に注入する湯受カップ８…とを具備することを特徴とする。
【００１０】
この場合、好適な実施の形態により、型締機構５…は、回転基部４に対して着脱可能に構成することが望ましい。また、型締機構５…は、固定型Ｃｃ…及び可動型Ｃｍ…を有する金型Ｃ…と、この可動型Ｃｍ…を固定型Ｃｃ…に対して進退移動させて金型Ｃ…を開閉する型開閉駆動部１１…と、金型Ｃ…の型開時に鋳造品Ｍを離型させるノック機能１２を備えて構成できる。さらに、ノック機能１２は、主ノック機能１２ｍ…と補助ノック機構１２ｓ…により構成できるとともに、機台２には、金型Ｃ…の型開時に補助ノック機構１２ｓ…を操作して鋳造品Ｍ…を離型させる補助ノック機構操作部１３を設けることができる。
【００１１】
これにより、各金型Ｃ…は、水平回転軸３を中心に回転（旋回）するため、任意の金型Ｃを所定角度で傾斜する湯受位置Ｘｓで停止させれば、この湯受位置Ｘｓで当該金型Ｃに取付けた湯受カップ８に必要な溶湯Ｌを供給できる。そして、溶湯Ｌの供給後、水平回転軸３を回転させれば、金型Ｃは徐々に水平状態になるとともに、同時に湯受カップ８は徐々に傾斜角度が大きくなる。この結果、湯受位置Ｘｓから回転した際に、湯受カップ８の溶湯Ｌは、金型Ｃのキャビティ内に自動で注湯され、注湯終了位置Ｘｅに達すれば、全ての溶湯Ｌが金型Ｃのキャビティ内に注湯される。また、金型Ｃのキャビティ内の溶湯Ｌは、金型Ｃが注湯終了位置Ｘｅから所定の型開位置まで移動する間に冷却され、凝固が行われる。なお、他の金型Ｃ…に対しても同様の処理が順次行われる。
【００１２】
【実施例】
次に、本発明に係る好適な実施例を挙げ、図面に基づき詳細に説明する。
【００１３】
まず、本実施例に係る鋳造装置１の構成について、図１〜図６を参照して説明する。
【００１４】
図１中、１は鋳造装置を示すとともに、５０は給湯ノズル５１を有する給湯装置を示す。なお、鋳造装置１は、図１中、右方を前方（正面）として説明する。
鋳造装置１は、複数のフレームＦ…を組合わせて構成した機台２を備え、この機台２の上部には、左右に離間した一対の軸受ブラケットＦｐ，Ｆｑを有する。また、側面視が正方形となる直方体状に構成した回転基部４を備え、この回転基部４の内部は中空に形成する。回転基部４における左右の側面部の中央には、左右方向に突出する水平回転軸３を取付け、この水平回転軸３の左右両端を各軸受ブラケットＦｐ，Ｆｑにより回転自在に支持する。
【００１５】
一方、回転基部４の他の四面部により四つの型締機構５…をそれぞれ支持する。これにより、各型締機構５…は、水平回転軸３の周方向に所定間隔置き、即ち、９０°毎に配されるとともに、各型締機構５…は、水平回転軸３に対して放射方向の向きが同じになる。各型締機構５…は、独立したユニットとして構成し、図３に示す矢印Ｈｓのように、回転基部４に対して着脱できる。したがって、一台の鋳造装置１において、異なる各種の型締機構５…を利用できる。
【００１６】
一つの型締機構５（他も同じ）は、固定型Ｃｃと可動型Ｃｍを有する金型Ｃと、この可動型Ｃｍを固定型Ｃｃに対して進退移動させて金型Ｃを開閉する電動シリンダ１１ｃを用いた型開閉駆動部１１と、金型Ｃの型開時に鋳造品Ｍを離型させるノック機能１２を備え、さらに、このノック機能１２は、可動型Ｃｍに付設した主ノック機能１２ｍと、金型Ｃの型開時に鋳造品Ｍを離型させる固定型Ｃｃに付設した補助ノック機構１２ｓを備える。
【００１７】
この場合、型締機構５は、ベース部２０を備え、このベース部２０の一端にシリンダ支持盤２１を固定するとともに、ベース部２０の他端に固定盤２２を固定する。また、シリンダ支持盤２１と固定盤２２間には、四本のタイバー２３…を架設し、このタイバー２３…に、可動盤２４をスライド自在に装填する。そして、可動盤２４により可動型Ｃｍを支持するとともに、固定盤２２により固定型Ｃｃを支持する。さらに、シリンダ支持盤２１により電動シリンダ１１ｃを支持し、この電動シリンダ１１ｃにおける駆動ロッド１１ｒの先端は可動盤２４に結合する。
【００１８】
一方、主ノック機能１２ｍは、可動型Ｃｍのキャビティに臨み、かつ進退自在に設けた複数のノックピンを有するピン部２５と、シリンダ支持盤２１に設けることにより、このピン部２５を変位させる複数の押圧ピン２６…を有する。他方、補助ノック機構１２ｓは、固定型Ｃｃのキャビティに臨み、かつ進退自在に設けた複数のノックピンを有するピン部２７と、このピン部２７を変位させる複数の押圧ピンを有する押圧部２８を有し、この押圧部２８は固定盤２２の外側に突出する。なお、各ピン部２５，２７は不図示のスプリング等により付勢され、自然状態では、各ノックピンの先端面がキャビティ面に一致する。したがって、押圧部２８を後述する補助ノック機構操作部１３により押圧すれば、ピン部２７を金型Ｃのキャビティ内に突出させることができるとともに、可動型Ｃｍを全開位置まで移動させれば、途中でピン部２５が押圧ピン２６…により規制されるため、ピン部２５を金型Ｃのキャビティ内に突出させることができる。
【００１９】
また、固定型Ｃｃ（金型Ｃ）には、湯受カップ８を取付ける。この湯受カップ８は、後述する湯受位置Ｘｓ、即ち、型締機構５が水平回転軸３に対して斜め前下方となる図１に示す湯受位置Ｘｓに停止した際に水平状態となり、この状態で必要量の溶湯Ｌを収容できる。この湯受カップ８は、湯受位置Ｘｓから型締機構５が旋回し、注湯終了位置Ｘｅまで移動した際に、収容した溶湯Ｌの全てを金型Ｃ…内に注入できるように、その取付角度及び形状等を選定する。
【００２０】
さらに、回転基部４と各型締機構５…の着脱機構は、次のように構成する。まず、回転基部４の各四面部には、それぞれ直角方向に突出した支持盤３１…を取付ける。そして、一つの型締機構５（他も同じ）を支持盤３１に装着するには、図２（図３）に示すように、支持盤３１の上面に、型締機構５のベース部２０を載せ、支持盤３１の上面一側に固定した規制レール部３２に、ベース部２０の一側辺を当接させる。一方、ベース部２０の他側辺は保持レール部３３により押えるともとに、この保持レール部３３を支持盤３１に対してネジ止め可能な一対の楔状の固定具３４，３４により押えて固定する。また、固定ネジ３５を用いて支持盤３１とベース部２０を固定する。これにより、型締機構５は、支持盤３１の上面に位置決めされて固定される。なお、図３に示すように、回転基部４には、型締機構５の装着時に電動シリンダ１１ｃを収容する挿通孔４ｓが形成されている。また、型締機構５を支持盤３１から離脱するには、装着の際と逆の操作を行えばよい。
【００２１】
他方、機台２の中間位置には、水平となるモータ設置台Ｆｗを取付けるとともに、このモータ設置台Ｆｗの上面に、回転駆動部６となる駆動モータ６ｍを取付ける。また、駆動モータ６ｍの回転シャフト３６に駆動ギア（駆動プーリ）３７を取付けるとともに、水平回転軸３に被動ギア（被動プーリ）３８を取付け、この駆動ギア３７と被動ギア３８間に無端タイミングベルト３９を架渡すことにより回転伝達機構４０を構成する。これにより、駆動モータ６ｍを作動制御すれば、回転基部４を図１中反時計方向へ回転させ、各金型Ｃ…を水平回転軸３の周りに水車状に旋回させることができる。
【００２２】
また、機台２の後端には支持板４１を起設し、この支持板４１の上端に、補助ノック機構操作部１３となる電動シリンダ１３ｃを取付ける。これにより、任意の型締機構５…が水平回転軸３の水平方向後方となる型開位置Ｘｏに停止すれば、電動シリンダ１３ｃの駆動ロッドの先端に設けたノックノブ１３ｎと押圧部２８…は相対向する。したがって、この状態でノックノブ１３ｎを前進させれば、補助ノック機構１２ｓ…の押圧部２８を押圧し、鋳造品Ｍ…を離型させることができる。このような構成により、補助ノック機構操作部１３は、各型締機構５…に対して共通の一台で足りるため、低コスト化及び小型化に寄与できる。
【００２３】
さらに、回転駆動部６を作動制御し、かつ少なくとも任意の型締機構５…を所定角度で傾斜する湯受位置Ｘｓ及びこの湯受位置Ｘｓから所定角度回転した注湯終了位置Ｘｅで停止制御する制御部７を備える。したがって、制御部７には、予め設定したシーケンスプログラムに従って制御指令を出力し、図４に示すように、回転駆動部６（駆動モータ６ｍ），補助ノック機構操作部１３（電動シリンダ１３ｃ），進退駆動部１１…（電動シリンダ１１ｃ…）及び給湯装置５０をシーケンス制御する機能を備えている。
【００２４】
次に、本実施例に係る鋳造装置１の動作について、図１〜図６を参照しつつ図７に示すフローチャートに従って説明する。
【００２５】
まず、運転開始により、制御部７は回転駆動部６を作動制御し、水平回転軸３を回転させる。これにより、回転基部４は、図１中、反時計方向へ回転する（ステップＳ１）。そして、任意の型締機構５が図１に示す湯受位置Ｘｓに達したなら停止制御する（ステップＳ２，Ｓ３）。湯受位置Ｘｓの型締機構５は、水平回転軸３に対して斜め前下方、即ち、垂直方向下位置に対して略３０°程度回転した位置となり、図６に示すように湯受カップ８は水平状態となる。次いで、制御部７は給湯装置５０を制御し、給湯装置５０自身を若干前進或いは回転変位させることにより、給湯ノズル５１を湯受カップ８の上方となる給湯位置へ移動させ、給湯装置５０から湯受カップ８に溶湯Ｌを供給する（ステップＳ４）。溶湯Ｌの供給量は、予め設定されており、設定量の溶湯Ｌを供給したなら停止する（ステップＳ５，Ｓ６）。なお、供給量は、通常、時間により設定できる。溶湯Ｌの供給が終了したなら、型締機構５の移動を妨げないように、給湯装置５０自身を若干後退或いは回転変位させることにより、ホームポジションへ戻す。
【００２６】
この後、制御部７は回転駆動部６を作動制御し、水平回転軸３を回転させる。
これにより、回転基部４は、図１中、反時計方向へ回転する（ステップＳ７）。
そして、型締機構５が図６に示す注湯終了位置Ｘｅに達したなら停止制御する（ステップＳ８，Ｓ９）。この注湯終了位置Ｘｅは、図６に示すように、湯受位置Ｘｓから矢印Ｈｒ方向へ略６０°程度回転した位置であり、水平回転軸３に対して水平方向前方に位置する。この回転区間は、注湯期間となる。即ち、湯受位置Ｘｓから回転すれば、型締機構５は、徐々に水平状態になるとともに、湯受カップ８は徐々に傾斜する。この場合、湯受カップ８は、型締機構５が注湯終了位置Ｘｅまで移動した際に、収容した溶湯Ｌを全て金型Ｃのキャビティ内に注入できるように、その取付角度及び形状等が選定されているため、回転中に、湯受カップ８に収容された溶湯Ｌは、金型Ｃのキャビティ内に自動で注入される。したがって、この注湯期間（回転区間）の回転速度は、特に、低速に設定する。具体的には、湯受位置Ｘｓから注湯終了位置Ｘｅに至る時間を１０秒程度に設定することができる。
【００２７】
一方、注湯終了位置Ｘｅでは、冷却期間として型締機構５を設定時間だけ停止させる。即ち、制御部７は、型締機構５が注湯終了位置Ｘｅに達したなら停止時間を監視し、設定時間になったら後続の型締機構５に対する注湯のための回転を開始する（ステップＳ１０，Ｓ１１）。なお、注湯終了位置Ｘｅにおける冷却は、自然冷却であってもよいし、強制冷却であってもよい。強制冷却は、空冷式でもよいし、水冷式でもよい。水冷式の場合は、可動型Ｃｍ及び固定型Ｃｃに水冷用ウォータジャケットを設ける。また、この冷却期間では、溶湯Ｌの凝固が進行するが、完全に凝固させる必要はない。即ち、ある程度凝固すれば足り、後述する型開位置Ｘｏに達するまでに凝固（固化）させればよい。したがって、注湯終了位置Ｘｅの停止時間は、例えば、１５秒程度に設定できる。
【００２８】
さらに、型締機構５は、注湯終了位置Ｘｅから水平回転軸３に対して、斜め前上方，垂直方向上方，斜め後上方，水平方向後方の各位置の順に、回転（停止）を繰返す（ステップＳ１２）。そして、型締機構５が、水平回転軸３に対して水平方向後方、即ち、注湯終了位置Ｘｅに対して１８０°反対側となる図５に示す型開位置Ｘｏに達したなら型開きを行う（ステップＳ１３）。この型開位置Ｘｏは、他の型締機構５は注湯終了位置Ｘｅにあり、冷却時間だけ停止するため、この冷却時間を利用して鋳造品の取出しを行う。まず、制御部７は、補助ノック機構操作部１３の電動シリンダ１３ｃを作動制御し、ノックノブ１３ｎを前進させる。これにより、ノックノブ１３ｎは、補助ノック機構１２ｓの押圧部２８を加圧する（ステップＳ１４）。また、型開閉駆動部１１の電動シリンダ１１ｃを作動制御して、駆動ロッド１１ｒを後退させる。これにより、可動型Ｃｍは型開方向に移動し、型開きが行なわれる（ステップＳ１５）。この際、鋳造品Ｍは、補助ノック機構１２ｓのピン部２８により加圧されるため、固定型Ｃｃから確実に離型し、鋳造品Ｍが可動型Ｃｍに付着した状態で型開きが行われる。一方、型開きの終了する手前では、主ノック機構１２ｍのピン部２５が押圧ピン２６…により規制されるため、ピン部２５のノックピンが金型Ｃのキャビティ内に突出し、鋳造品Ｍは、可動型Ｃｍから確実に離型する（ステップＳ１６）。この際、鋳造品Ｍを自然落下させ、シュータにより製品コンテナに収容してもよいし、取出ロボットにより製品コンテナに収容してもよい。
【００２９】
鋳造品Ｍに対する取出しが終了したら、金型Ｃが必要以上に冷却されないように、速やかに型閉を行う（ステップＳ１７，Ｓ２２）。この後、回転により、次の鋳造となる湯受位置Ｘｓに移動するため、同様の処理を繰り返し行えばよい（ステップＳ１，Ｓ２…）。一方、鋳造に中子を使用する場合には、型開きが終了した後、そのまま回転させる（ステップＳ１７，Ｓ１８）。そして、型締機構５が、中子セット位置となる水平回転軸３の真下の位置で停止した際に、中子をセットする（ステップＳ１９，Ｓ２０，Ｓ２１）。この中子セット位置では、金型Ｃのパーティングラインが水平になるため、中子を容易にセットできる。また、中子をセットしたなら速やかに型閉を行う（ステップＳ２２）。この後、回転により、次の鋳造となる湯受位置Ｘｓに移動するため、同様の処理を繰り返し行えばよい（ステップＳ１，Ｓ２…）。
【００３０】
このような本実施例に係る鋳造装置１によれば、型締機構５の回転移動（旋回移動）が金型Ｃ及び湯受カップ８を傾斜させる動作を兼ねるため、給湯装置５０における金型Ｃを傾斜させる各種機構や注湯容器を同調させる機構等が不要になり、給湯装置５０の構成簡略化，小型化及び低コスト化を図ることができる。しかも、給湯時には、型締機構５の回転移動（旋回移動）と同時に金型Ｃへの注湯が行われるため、一つの鋳造にかかる時間を短縮して生産効率を高めることができる。また、水平回転軸３により水車状に回転する構成のため、鋳造装置１を設置するための広いスペースの確保が不要となり、省スペース化を図ることができる。
【００３１】
以上、実施例について詳細に説明したが、本発明はこのような実施例に限定されるものではなく、細部の構成，形状，数量，素材等において、本発明の要旨を逸脱しない範囲で任意に変更，追加，削除することができる。
【００３２】
例えば、型締機構５…は四つの場合を例示したが二つ以上であればよく、その数量は問わない。また、型締機構５…は回転基部４に対して着脱式に構成した場合を示したが、固定式を排除するものではない。さらに、型開閉駆動部１１及び補助ノック機構操作部１３として、電動シリンダ１１ｃ及び１３ｃを用いた場合を例示したが、エアシリンダや油圧シリンダ、或いは他の原理に基づく任意の駆動機構により置換することができる。
【００３３】
【発明の効果】
このように、本発明に係る鋳造装置は、機台に水平回転軸を介して回転自在に支持された回転基部と、この回転基部に支持され、かつ水平回転軸の周方向に所定間隔置きに配した金型を有する複数の型締機構と、回転基部を回転させる回転駆動部と、この回転駆動部を作動制御し、かつ少なくとも任意の型締機構を所定角度で傾斜する湯受位置及びこの湯受位置から所定角度回転させた注湯終了位置で停止制御する制御部と、金型に取付けることにより、湯受位置から注湯終了位置まで移動した際に、収容した溶湯を金型内に注入する湯受カップとを具備するため、次のような顕著な効果を奏する。
【００３４】
（１）  型締機構の回転移動が金型及び湯受カップを傾斜させる動作を兼ねるため、給湯装置における金型を傾斜させる各種機構や注湯容器を同調させる機構等が不要になり、給湯装置の構成簡略化，小型化及び低コスト化を図ることができる。
【００３５】
（２）  給湯時には、型締機構の回転移動（旋回移動）と同時に金型への注湯が行われるため、一つの鋳造にかかる時間を短縮して生産効率を高めることができる。
【００３６】
（３）  水平回転軸により水車状に回転する構成のため、鋳造装置を設置するための広いスペースの確保が不要となり、省スペース化を図ることができる。
【００３７】
（４）  好適な実施の形態により、型締機構を回転基部に対して着脱可能に構成すれば、一台の鋳造装置において、異なる各種の型締機構を利用できる。
【００３８】
（５）  好適な実施の形態により、機台に、金型の型開時に補助ノック機構を操作して鋳造品を離型させる補助ノック機構操作部を設ければ、補助ノック機構操作部は、各型締機構に対して共通の一台で足りるため、更なる低コスト化及び小型化に寄与できる。
【図面の簡単な説明】
【図１】本発明の好適な実施例に係る鋳造装置の側面図、
【図２】同鋳造装置の一部を示す正面図、
【図３】同鋳造装置の型締機構を離脱した状態を示す側面図、
の一部を示す正面図、
【図４】同鋳造装置の制御系のブロック系統図、
【図５】同鋳造装置の型開位置における型締機構の断面側面図、
【図６】同鋳造装置の湯受位置及び注湯終了位置における型締機構の断面側面図、
【図７】同鋳造装置の動作を説明するためのフローチャート、
【符号の説明】
１      鋳造装置
２      機台
３      水平回転軸
４      回転基部
５…    型締機構
６      回転駆動部
７      制御部
８…    湯受カップ
１１…  型開閉駆動部
１２…  ノック機能
１２ｍ…  主ノック機能
１２ｓ…  補助ノック機構
１３    補助ノック機構操作部
Ｃ…    金型
Ｃｃ…  固定型
Ｃｍ…  可動型
Ｘｓ    湯受位置
Ｘｅ    注湯終了位置
Ｌ      溶湯
Ｍ      鋳造品
【図１】
2004230406.tif 000003
【図２】
2004230406.tif 000004
【図３】
2004230406.tif 000005
【図４】
2004230406.tif 000006
【図５】
2004230406.tif 000007
【図６】
2004230406.tif 000008
【図７】
2004230406.tif 000009